(57)【要約】 【課題】２つの枠体が異なる距離を移動する場合において、利用者に与える違和感を少なくするか無くすことができる計器装置を提供する。【解決手段】計器装置の制御部は、指針式計器本体２０Ｌの枠体２８Ｌと指針式計器本体２０Ｒの枠体２８Ｒとを位置Ａ及びＣそれぞれから同時にそれぞれの目標位置Ｂ及びＦそれぞれに移動させる場合に、枠体２８Ｌと枠体２８Ｒとのうちの移動距離が長い方（枠体２８Ｒ）を短い方（枠体２８Ｌ）よりも速い速度で移動させる。【選択図】図８
2013156219.tif 000002
【特許請求の範囲】
【請求項１】
第１の枠体と、
第２の枠体と、
前記第１の枠体と前記第２の枠体との背後に位置し、前記第１の枠体の位置と前記第２の枠体の位置とに応じた画像を表示する表示部と、
前記第１の枠体及び前記第２の枠体を移動させる制御部と、を備え、
前記制御部は、前記第１の枠体と前記第２の枠体とを同時に移動させる場合に、前記第１の枠体と前記第２の枠体とのうちの移動距離が長い方を短い方よりも速い速度で移動させる、
ことを特徴とする計器装置。
【請求項２】
前記制御部は、前記第１の枠体と前記第２の枠体とが移動している最中に前記前記第１の枠体と前記第２の枠体とが移動させることを中止させ、新たな２つの目標位置それぞれに前記第１の枠体と前記第２の枠体とを移動させる場合に、前記第１の枠体の現在位置と前記第１の枠体の目標位置との移動距離及び前記第２の枠体の現在位置と前記第２の枠体の目標位置との移動距離を特定し、前記第１の枠体と前記第２の枠体とのうち、特定した移動距離が長い方を短い方よりも速い速度で移動させる、
ことを特徴とする請求項１に記載の計器装置。
【請求項３】
前記制御部は、前記第１の枠体の移動と前記第２の枠体の移動とが同時に終了するように、前記第１の枠体と前記第２の枠体とを移動させる、
ことを特徴とする請求項１又は２に記載の計器装置。
【発明の詳細な説明】
【技術分野】
【０００１】
本発明は、計器装置に関する。  
【背景技術】
【０００２】
計器装置として、例えば、特許文献１には、車両情報を構成する画像を表示する表示器と、前記表示器の前面側に配設され、前記表示器の表示領域を画定する表示仕切り部と、前記表示仕切り部を移動させる移動機構と、前記移動機構に前記表示仕切り部を第一の位置から第二の位置に移動させるとともに前記表示器に前記表示仕切り部の移動に応じて前記画像が移動するように表示させる制御手段と、を備えた計器装置であって、前記制御手段は、前記画像の移動に際して、前記表示器に前記画像の少なくとも一部を不鮮明にした不鮮明画像を前記画像の表示位置から前記画像の移動前方向にずれた位置に表示させてなることを特徴とする計器装置が開示されている。  
【先行技術文献】
【特許文献】
【０００３】
【特許文献１】特開２０１０−２１６８５５号公報
【発明の概要】
【発明が解決しようとする課題】
【０００４】
特許文献１に係る計器装置では、２つの表示仕切り部（枠体）が寄っている通常表示状態から、左側の仕切り部が左方向に移動し、右側の仕切り部が右方向へ移動するが、この移動距離が異なるとすると、２つの仕切り部が同じ速度で動くことからそれぞれの仕切り部の目標位置への到着時間がそれぞれ異なるため、左右の仕切り部の移動完了タイミングなどにズレが生じてしまい利用者に違和感を与えてしまうといった問題点を有している。
【０００５】
本発明は、上記実状に鑑みてなされたものであり、２つの枠体が異なる距離を移動する場合において、利用者に与える違和感を少なくするか無くすことができる計器装置を提供することを目的とする。  
【課題を解決するための手段】
【０００６】
上記目的を達成するため本発明に係る計器装置は、
第１の枠体と、
第２の枠体と、
前記第１の枠体と前記第２の枠体との背後に位置し、前記第１の枠体の位置と前記第２の枠体の位置とに応じた画像を表示する表示部と、
前記第１の枠体及び前記第２の枠体を移動させる制御部と、を備え、
前記制御部は、前記第１の枠体と前記第２の枠体とを同時に移動させる場合に、前記第１の枠体と前記第２の枠体とのうちの移動距離が長い方を短い方よりも速い速度で移動させる、
ことを特徴とする。
【発明の効果】
【０００７】
本発明によれば、２つの枠体が異なる距離を移動する場合において、利用者に与える違和感を少なくするか無くすことができる。  
【図面の簡単な説明】
【０００８】
【図１】本発明の一実施形態に係る計器装置を表側から見た場合にユーザに視認される計器装置の表示内容を示す図である。
【図２】図１の計器装置の外形を示す概略図であり、計器装置における第１駆動部、第２駆動部、第１伝達機構、第２伝達機構の各部の位置を説明するための説明図である。
【図３】（ａ）は、図２の計器装置を上側から見た場合の概略図である。（ｂ）は、図２の計器装置のＡ−Ａ線概略断面図である。
【図４】図１の計器装置における一部分（第１移動部材、第２移動部材、枠体、取り付け板、第１伝達機構、第２伝達機構）の位置関係を説明するための斜視図である。
【図５】（ａ）は、図１の計器装置を表側から見た場合の指針式計器本体を示した図である。（ｂ）は、指針式計器本体の図５（ａ）のＢ−Ｂ線概略断面図である。
【図６】本発明の一実施形態に係る計器装置の電気的構成を説明するためのブロック図である。
【図７】（ａ）〜（ｃ）は、指針式計器本体と、第１検出ターゲットと、第２検出ターゲットと、の位置関係などを説明するための図である。
【図８】本発明の一実施形態に係る計器装置を表側から見た場合にユーザに視認される計器装置の表示内容が変化する例を示す図である。
【図９】本発明の一実施形態に係る計器装置の制御部が実行する表示処理のフローチャートの一例である。
【発明を実施するための形態】
【０００９】
本発明の一実施形態に係る計器装置について図面を参照して説明する。  本実施形態に係る計器装置１００は、車両に搭載される車両用計器であり、図１に示すように、２つの指針式計器１００Ｌ、１００Ｒを含む。指針式計器１００Ｌは、主に、スピードメーターとして機能するものであり、計器装置１００を正面から見た場合に左側に位置する。指針式計器１００Ｒは、主にタコメーターとして機能するものであり、計器装置１００を正面から見た場合に右側に位置する。以下、計器装置１００の構造を説明することによって、適宜、指針式計器１００Ｌ、１００Ｒの構造も説明する。
【００１０】
計器装置１００は、図２から図５に示すように、指針式計器本体２０Ｌ、２０Ｒと、移動機構４０と、ディスプレイ装置５０と、回路基板６０と、ケース体８０と、を備える。なお、以下では、図２に両端矢印で示すように、計器装置１００の表示面方向（つまり、計器装置１００に対するユーザ側方向）を「表」とし、表示面方向の反対側方向を「裏」とし、表示面を視認するユーザからみた場合の上下左右方向を、それぞれ、「上」、「下」、「左」、「右」として、説明する。
【００１１】
指針式計器本体２０Ｌは、指針式計器１００Ｌの本体となるものであり、指針駆動部２１Ｌと、第１マグネット体２２Ｌと、第２マグネット体２３Ｌと、指針ユニット２４Ｌと、光源２５Ｌと、台座２６Ｌと、透明部材２７Ｌと、枠体２８Ｌと、取り付け板２９Ｌａと、取り付け板２９Ｌｂと、を備える。第２マグネット体２３Ｌと、指針ユニット２４Ｌと、光源２５Ｌと、台座２６Ｌと、透明部材２７Ｌと、枠体２８Ｌと、取り付け板２９Ｌａと、取り付け板２９Ｌｂと、は、ディスプレイ装置５０の表側（前方）に位置している。
【００１２】
指針駆動部２１Ｌは、例えばステッピングモーターから構成され、図示しない配線によって、回路基板６０上に形成された後述の制御部７０と電気的に接続され、制御部７０の制御のもと、計測値（車両情報の一例であり、ここでは車速）に応じて指針駆動部２１Ｌが備える回転軸２１Ｌａを回転させる。指針駆動部２１Ｌは、後述の第１移動板４１１の裏面側に設けられた基材Ｓに固定されている。回転軸２１Ｌａは、基材Ｓに設けられた孔部Ｓｏ、第１移動板４１１の開口部４１１ｅを貫いており、回転軸２１Ｌａの先端はディスプレイ装置５０の裏面近傍に位置する。  
【００１３】
第１マグネット体２２Ｌは、回転軸２１Ｌａの先端に取り付けられ、回転軸２１Ｌａの回転に伴い、回転する。このように取り付けられた第１マグネット体２２Ｌは、ディスプレイ装置５０のすぐ裏に位置する。第１マグネット体２２Ｌは、回転軸２１Ｌａ側のヨーク２２Ｌａと磁石２２Ｌｂとから構成され、磁力を効率良く第２のマグネット体２３Ｌに伝えるとともにヨーク２２Ｌａの透磁効果により、指針駆動部２１Ｌに対しては、磁気影響を与え難くしている。  
【００１４】
第２マグネット体２３Ｌは、後述の台座２６Ｌに回転可能に支持されており、ディスプレイ装置５０の表側であって、第１マグネット体２２Ｌと対向する位置に位置する。第２マグネット体２３Ｌは、磁石であり、第１マグネット体２２Ｌからのディスプレイ装置５０を透過した磁力によって、第１のマグネット体２２の回転に従って、回転する。また、第２マグネット体２３Ｌは、後述する指針ユニット２４Ｌの指針軸２４Ｌａを支持する。
【００１５】
指針ユニット２４Ｌは、第２マグネット体２３Ｌと一体に回転する指針部材であり、指針軸２４Ｌａと、導光指針２４Ｌｂと、指針キャップ２４Ｌｃと、を備える。指針軸２４Ｌａは、合成樹脂やアルミ等の非磁性金属などからなり、第２マグネット体２３Ｌに軸支される。導光指針２４Ｌｂは、無色透明又は有色透明の合成樹脂などからなり、指針軸２４Ｌａに嵌合などによって固定され、指針軸２４Ｌａ側の受光部（図示せず）で光源２５Ｌが出射した光を受け、受けた光を導光して出射する。このようにして、導光指針２４Ｌｂは、光源２５Ｌから出射される光によって全体的に発光する。指針キャップ２４Ｌｃは、導光指針２４Ｌｂの一部（指針軸２４Ｌａ近傍）を、指針軸２４Ｌａの軸方向表側から覆うようにして導光指針２４Ｌｂに取り付けられる。指針キャップ２４Ｌｃは、例えば、合成樹脂により形成された黒色のキャップであり、光を透過しないため、導光指針２４Ｌｂにおける指針キャップ２４Ｌｃに覆われた部分が出射する光を遮光する。このため、指針ユニット２４Ｌでは、光源２５Ｌが発光すると、導光指針２４Ｌｂの指針キャップ２４Ｌｃに覆われていない部分（露出している部分）が光って見える。
【００１６】
光源２５Ｌは、指針軸２４Ｌａ近傍に配設される、１又は複数（例えば、２、３灯）のＬＥＤ（Light Emitting Diode）などから構成される。光源２５Ｌは、後述する台座２６Ｌに形成された回路部に取り付けられる。このように取り付けられた光源２５Ｌは、指針ユニット２４Ｌの直下（指針キャップ２４Ｌｃの裏側）に位置し、指針ユニット２４Ｌを照光する（導光指針２４Ｌｂの前記受光部に向け光を出射する）。光源２５Ｌは、後述する制御部７０の制御のもと、発光又は消灯する。
【００１７】
台座２６Ｌは、合成樹脂などによって、例えば円錐台状に形成され、第２マグネット体２３Ｌを回転可能に保持する部材である。台座２６Ｌの内部には空洞の収納スペースが形成され、この収納スペースに第２マグネット体２３Ｌが回転可能に収納される。これによって、第２マグネット体２３Ｌは台座２６Ｌに回転可能に保持される。台座２６Ｌの表側（円錐台の底面）の中心部には、指針ユニット２４Ｌの指針軸２４Ｌａの軸径より一回り大きい開口径の孔部Ｌｏ３が形成されている。第２マグネット体２３Ｌに軸支された指針軸２４Ｌａは、この孔部Ｌｏ３を貫いている。台座２６Ｌは、例えば、裏側の面が蓋体となっており、前記空洞に指針軸２４Ｌａが軸支された第２マグネット体２３Ｌを収納し、蓋体によって前記空洞に蓋をすることによって、第２マグネット体２３Ｌは回転可能に収納される。また、台座２６Ｌは、図示しない所定の回路部を備え、この回路部に光源２５Ｌが実装され、一方、この回路部は後述の方法によって制御部７０と電気的に接続される。これによって、制御部７０は、回路部を介して光源２５Ｌの発光・消灯を制御する。
【００１８】
透明部材２７Ｌは、表側から見た場合に台座２６Ｌに対応する部分に貫通孔が形成された円板状の部材である。この貫通孔の内面が台座２６Ｌの外周面に接着剤などで接着されることなどによって、透明部材２７Ｌは台座２６Ｌに取り付けられている。透明部材２７Ｌは、無色透明又は有色透明である。なお、透明部材２７Ｌは、内側から外側に向かうにつれて、表側から裏側に向かうように、ディスプレイ装置７０の表面などに対して傾斜している形状（円錐台の側面のような形状）を有しているが、透明部材２７Ｌは、ディスプレイ装置７０の表面などと平行な面方向に延びる円平板形状（台座２６Ｌの部分が貫通孔になっている平らな円板形状など）であってもよい。
【００１９】
枠体２８Ｌは、透明部材２７Ｌの外縁（輪郭）に沿って円環状に設けられたものであり、指針式計器１００Ｌの枠を構成するものである。この枠は、後述の計器画像の表示領域と、計器画像の表示領域以外の領域とを仕切ることによって、指針式計器１００Ｌの枠を構成する。枠体２８Ｌは、ユーザが視認しやすいように、透明ではなく、所定の色（金属色など）を有する。
【００２０】
取り付け板２９Ｌａは、一端が枠体２８Ｌの外周面に取り付けられ、枠体２８Ｌから上方向に延在する板状部材であり、取り付け板２９Ｌｂは、一端が枠体２８Ｌの外周面に取り付けられ、枠体２８Ｌから下方向に延在する板状部材であり、両者はともに他端が後述の第１移動板４１１に取り付けられている。取り付け板２９Ｌａ及び取り付け板２９Ｌｂは、適宜、ユーザに視認され難いように無色透明であることが望ましい。これによって、枠体２８Ｌを浮いたように目立たせることが出来る。
【００２１】
透明部材２７Ｌ、枠体２８Ｌ、取り付け板２９Ｌａ、取り付け板２９Ｌｂは、例えば、合成樹脂などによって一体的に形成する。まず、透明部材２７Ｌ、枠体２８、取り付け板２９Ｌａ、取り付け板２９Ｌｂを組み合わせた部材と略同じ外形の透明な部材を合成樹脂などによって形成し、例えば、枠体２８に相当する部分を着色するなどすることによって、一体となった、透明部材２７Ｌ、枠体２８Ｌ、取り付け板２９Ｌａ、取り付け板２９Ｌｂを形成する。透明部材２７Ｌ、枠体２８Ｌ、取り付け板２９Ｌａ、取り付け板２９Ｌｂは、それぞれ、合成樹脂などによって、別体に形成され（例えば、枠体２８Ｌなどは、アルミ等の非磁性金属によって形成する。）、互いに取り付けられてもよい。また、台座２６Ｌ（特に回路部などを除いた部分）も、透明部材２７Ｌなどと一体的に形成されてもよい。
【００２２】
なお、例えば、台座２６Ｌには、光源２５Ｌが実装された回路部から台座２６Ｌ外部（透明部材２７Ｌよりも裏側の外部）に引き回された図示しない配線が設けられる。また、ＩＴＯ（Indium Tin Oxide）電極などの図示しない透明電極が、透明部材２７Ｌ、枠体２８Ｌ、取り付け板２９Ｌａ、取り付け板２９Ｌｂなどの裏面に形成される。この透明電極は、例えば、透明部材２７Ｌの裏面かつ台座２６の近傍から、取り付け板２９Ｌａの裏面の上端部又は取り付け板２９Ｌｂの裏面の下端部に達する。このように形成された透明電極の一端（台座２６Ｌ側の一端）は前記の回路部から引き回された配線と電気的に接続され、取り付け板２９Ｌａの上端部又は取り付け板２９Ｌｂの下端部側の他端は、図示しない適宜の配線によって後述の制御部７０に電気的に接続される。このようにして、光源２５Ｌと制御部７０とは、回路部、透明電極、配線などを介して電気的に接続され、なお、上記透明電極のうち、枠体２８Ｌに形成された部分は、アルミ電極などの他の不透明電極に置き換えてもよい。
【００２３】
指針式計器本体２０Ｒは、指針式計器１００Ｒの本体となるものであり、指針式計器本体２０Ｌと同様に、指針駆動部２１Ｒと、第１マグネット体と、第２マグネット体と、指針ユニット２４Ｒと、光源と、台座と、透明部材２７Ｒと、枠体２８Ｒと、取り付け板２９Ｒａと、取り付け板２９Ｒｂと、を備える。
【００２４】
指針式計器本体２０Ｌと、指針式計器本体２０Ｒとは、略同じ構造を有している。このため、指針式計器本体２０Ｒの詳細な説明は省略する（指針式計器本体２０Ｌの説明に準じる）。なお、上記計測値は、車速ではなく、エンジン回転数になる。
【００２５】
移動機構４０は、第１移動機構４１と、第２移動機構４２と、ガイドレール４３と、移動機構用筐体４４と、から構成される。  
【００２６】
第１移動機構４１は、指針式計器本体２０Ｌを左右方向にスライド移動させるための機構である。第１移動機構４１は、第１移動板４１１と、第１駆動部４１２と、第１伝達機構４１３と、第１検出ユニット４１４と、を備える。第２移動機構４２は、指針式計器本体２０Ｒを左右方向にスライド移動させるための機構である。第２移動機構４２は、第２移動板４２１と、第２駆動部４２２と、第２伝達機構４２３と、第２検出ユニット４２４と、を備える。  
【００２７】
第１移動板４１１は、合成樹脂やアルミ等の非磁性金属から形成され、左右方向にスライド移動するものである。第１移動板４１１は、上下方向に延び、ディスプレイ装置７０の裏側に位置する板状部材４１１ａと、この板状部材の両端からそれぞれ前方に張り出す張り出し部材４１１ｂ、４１１ｃと、板状部材４１１ａの裏面に形成され、第１伝達機構４１３の後述するタイミングベルト４１３ｃを挟持する挟持部４１１ｄと、を備える。また、第１移動板４１１には、指針駆動部２１Ｌの回転軸２１Ｌａを通すための貫通孔４１１ｅが設けられている。挟持部４１１ｄがタイミングベルト４１３ｃを挟持することによって、第１移動板４１１は、タイミングベルト４１３ｃに取り付けられている。また、第１移動板４１１は、板状部材４１１ａの表面に形成された凸部からなり、後述のガイドレール４３を摺動する摺動部４１１ｆが形成されている。
【００２８】
第１移動板４１１の裏面には、貫通孔４１１ｅの外周から立設する筒状の基材取付部Ｃ１が形成されている（基材取付部Ｃ１は、第１移動板４１１と別体でもよい）。基材取付部Ｃ１に基材Ｓ１が取り付けられ、基材Ｓ１に指針駆動部２１Ｌが取り付けられることで、指針駆動部２１Ｌは、第１移動板４１１の裏側に固定される。また、張り出し部材４１１ｂ、４１１ｃには、取り付け板２９Ｌａと取り付け板２９Ｌｂとがそれぞれ取り付けられる。これら構成によって、指針式計器本体２０Ｌは、第１移動板４１１に固定され、第１移動板４１１の左右方向へのスライド移動に伴って、左右方向にスライド移動する。
【００２９】
第２移動板４２１は、合成樹脂やアルミ等の非磁性金属から形成され、左右方向にスライド移動する。第２移動板４２１の構造は、第１移動板４１１と同様であり、詳細な説明は省略が、第２移動板４２１には、第１移動板４１１と同様の構造によって、指針式計器本体２０Ｒが第２移動板４２１に固定される。これによって、指針式計器本体２０Ｒは、第２移動板４２１に固定され、第２移動板４２１の左右方向へのスライド移動に伴って、左右方向にスライド移動する。また、第２移動板４２１の挟持部４２１ｄ（挟持部４１１ｄに対応する。）は、第２伝達機構４２３の後述するタイミングベルト４２３ｃを挟持する。これによって、第２移動板４２１は、タイミングベルト４２３ｃに取り付けられている。
【００３０】
第１駆動部４１２、第２駆動部４２２は、それぞれ、例えば、ステッピングモーターからなり、図示しない配線などによって、後述の制御部７０と電気的に接続される。第１駆動部４１２は、後述の制御部７０の制御のもと、回転軸４１２ａを回転させる。同様に、第２駆動部４２２は、後述の制御部７０の制御のもと、回転軸４２２ａを回転させる。第２駆動部４２２は、第１駆動部４１２の上に位置する。  
【００３１】
第１伝達機構４１３と第２伝達機構４２３とは、互いに、上下方向に所定の間隔を空けて配置される。第１伝達機構４１３は、第２伝達機構４２３の下側に位置する。  
【００３２】
第１伝達機構４１３は、左右方向に所定の間隔を空けて配置された２つのプーリー４１３ａ，４１３ｂと、両者に巻回されるタイミングベルト４１３ｃと、を備える。プーリー４１３ａは、計器装置１００の表側から見て右側に位置し、第１駆動部４１２の回転軸４１２ａに圧入され（ギアを介して締結されていてもよい）、回転軸４１２ａの回転に伴い回転する。プーリー４１３ｂは、図１に示すように、計器装置１００の表側から見て左側に位置し、移動機構用筐体４４に取り付けられた軸Ａ１に回転可能に保持される。タイミングベルト４１３ｃは、２つのプーリー４１３ａ，４１３ｂが空転しないように所定の張力をもって取り付けられるため、プーリー４１３ａが回転すると、タイミングベルト４１３ｃが動き、プーリー４１３ｂも同様に回転する。このようにして、第１伝達機構４１３は、第１駆動部４１２で発生した回転動力をスライド方向（左右方向）の動力（タイミングベルト４１３ｃの動き）に変換して、前述のようにタイミングベルト４１３ｃに取り付けられた第１移動板４１１（指針式計器本体２０Ｌ）をスライド移動させる。  
【００３３】
第２伝達機構４２３は、左右方向に所定の間隔を空けて配置された２つのプーリー４２３ａ，４２３ｂと、両者に巻回されるタイミングベルト４２３ｃと、を備える。プーリー４２３ａは、計器装置１００の表側から見て右側に位置し、第２駆動部４２２の回転軸４２２ａに圧入され（ギアを介して締結されていてもよい）、回転軸４２２ａの回転に伴い回転する。プーリー４２３ｂは、図１に示すように、計器装置１００の表側から見て左側に位置し、移動機構用筐体４４に取り付けられた軸Ａ２に回転可能に保持される。タイミングベルト４２３ｃは、２つのプーリー４２３ａ，４２３ｂが空転しないように所定の張力をもって取り付けられるため、プーリー４２３ａが回転すると、タイミングベルト４１３ｃが動き、プーリー４２３ｂも同様に回転する。このようにして、第２伝達機構４２３は、第２駆動部４２２で発生した回転動力をスライド方向（左右方向）の動力（タイミングベルト４１３ｃの動き）に変換して、前述のようにタイミングベルト４２３ｃに取り付けられた第２移動板４２１（指針式計器本体２０Ｒ）をスライド移動させる。
【００３４】
図７（ａ）から（ｃ）に模式的に示す、第１検出ユニット４１４は、指針式計器本体２０Ｌの位置を検出するためのものであり、例えば、第１検出ターゲット４１４ａと第１検出部４１４ｂａ、４１４ｂｂ、４１４ｂｃとを備える。同様に、第２検出ユニット４２４は、指針式計器本体２０Ｒの位置を検出するためのものであり、例えば、第２検出ターゲット４２４ａと第２検出部４２４ｂｄ、４２４ｂｅ、４２４ｂｆとから構成される。第１検出部４１４ｂａ、４１４ｂｂ、４１４ｂｃ、第２検出部４２４ｂｄ、４２４ｂｅ、４２４ｂｆは、それぞれ、図示しない配線などによって後述の制御部７０に電気的に接続され、制御部７０の制御のもとで動作する。
【００３５】
第１検出部４１４ｂａ、４１４ｂｂ、４１４ｂｃ、第２検出部４２４ｂｄ、４２４ｂｅ、４２４ｂｆは、それぞれ、例えば、赤外光を出射する発光素子（赤外ＬＥＤ）と受光素子（フォトトランジスタ）とを備える、フォトリフレクタ（反射型フォトインタラプタ）などから構成される。第１検出ターゲット４１４ａ、第２検出ターゲット４２４ａは、それぞれ、例えば、前記発光素子が出射した赤外光を反射する反射部（反射面を構成する金属部、鏡など）であり、第１検出部４１４ｂａ、４１４ｂｂ、４１４ｂｃ、第２検出部４２４ｂｄ、４２４ｂｅ、４２４ｂｆそれぞれの検出対象部である。
【００３６】
第１検出ターゲット４１４ａは、第１移動板４１１の所定箇所に取り付けられる。第１検出ターゲット４１４ａは、第１移動板４１１から、第１検出部４１４ｂａ、４１４ｂｂ、４１４ｂｃ側に向けて突出させた鋼鉄製のもの（反射面を構成するもの）などによって構成される。第１検出部４１４ｂａ、４１４ｂｂ、４１４ｂｃは、計器装置１００内の不動の箇所（例えば、移動機構用筐体４４の所定箇所）に取り付けられる。第１検出部４１４ｂａは、指針式計器本体２０Ｌ（第１移動板４１１）が位置Ａに位置するときに、第１検出ターゲット４１４ａと対向する位置に設けられている（図７（ａ））。第１検出部４１４ｂｂは、指針式計器本体２０Ｌ（第１移動板４１１）が位置Ｂに位置するときに、第１検出ターゲット４１４ａと対向する位置に設けられている（図７（ｂ））。第１検出部４１４ｂｃは、指針式計器本体２０Ｌ（第１移動板４１１）が位置Ｃに位置するときに、第１検出ターゲット４１４ａと対向する位置に設けられている（図７（ｃ））。
【００３７】
第１検出部４１４ｂａ、４１４ｂｂ、４１４ｂｃは、第１検出ターゲット４１４ａの存在を検出すると、検出信号を後述の制御部７０に供給する。例えば、第１検出ターゲット４１４ａは、第１検出部４１４ｂａと対向すると、第１検出部４１４ｂａの発光素子からの赤外光を第１検出部４１４ｂａに向け反射する。第１検出部４１４ｂａは、反射された赤外光を受光素子で受光し、この受光に応答して検出信号を制御部７０に供給する。同様に、例えば、第１検出ターゲット４１４ａは、第１検出部４１４ｂｂ又は第１検出部４１４ｂｃと対向すると、第１検出部４１４ｂｂ又は第１検出部４１４ｂｃの発光素子からの赤外光を第１検出部４１４ｂｂ又は第１検出部４１４ｂｃに向け反射する。第１検出部４１４ｂｂ又は第１検出部４１４ｂｃは、反射された赤外光を受光素子で受光し、この受光に応答して検出信号を制御部７０に供給する。このようにして、指針式計器本体２０Ｌが位置Ａにあるときには、第１検出部４１４ｂａが検出信号を供給し、指針式計器本体２０Ｌが位置Ｂにあるときには、第１検出部４１４ｂｂが検出信号を供給し、指針式計器本体２０Ｌが位置Ｃにあるときには、第１検出部４１４ｂｃが検出信号を供給する。第１検出部４１４ｂａ、４１４ｂｂ、４１４ｂｃのいずれが検出信号を制御部７０に供給したかで、制御部７０は、スライド移動する指針式計器本体２０Ｌが位置ＡからＣのうちのいずれに位置したかを特定できる。
【００３８】
第２検出ターゲット４２４ａは、第２移動板４２１の所定箇所に取り付けられる。第２検出ターゲット４２４ａは、第２移動板４２１から、第２検出部４２４ｂｄ、４２４ｂｅ、４２４ｂｆ側に向けて突出させた鋼鉄製のもの（反射面を構成するもの）などによって構成される。第２検出部４２４ｂｄ、４２４ｂｅ、４２４ｂｆは、計器装置１００内の不動の箇所（例えば、移動機構用筐体４４の所定箇所）に取り付けられる。第２検出部４２４ｂｄは、指針式計器本体２０Ｒ（第１移動板４２１）が位置Ｄに位置するときに、第２検出ターゲット４２４ａと対向する位置に設けられている（図７（ａ））。第２検出部４２４ｂｅは、指針式計器本体２０Ｒ（第１移動板４２１）が位置Ｅに位置するときに、第２検出ターゲット４２４ａと対向する位置に設けられている（図７（ｂ））。第２検出部４２４ｂｆは、指針式計器本体２０Ｒ（第１移動板４２１）が位置Ｆに位置するときに、第２検出ターゲット４２４ａと対向する位置に設けられている（図７（ｃ））。
【００３９】
第２検出部４２４ｂｄ、４２４ｂｅ、４２４ｂｆは、第２検出ターゲット４２４ａの存在を検出すると、検出信号を後述の制御部７０に供給する。例えば、第２検出ターゲット４２４ａは、第２検出部４２４ｂｄと対向すると、第２検出部４２４ｂｄの発光素子からの赤外光を第２検出部４２４ｂｄに向け反射する。第２検出部４２４ｂｄは、反射された赤外光を受光素子で受光し、この受光に応答して検出信号を制御部７０に供給する。同様に、例えば、第２検出ターゲット４２４ａは、第２検出部４２４ｂｅ又は第２検出部４２４ｂｆと対向すると、第２検出部４２４ｂｅ又は第２検出部４２４ｂｆの発光素子からの赤外光を第２検出部４２４ｂｅ又は第２検出部４２４ｂｆに向け反射する。第２検出部４２４ｂｅ又は第２検出部４２４ｂｆは、反射された赤外光を受光素子で受光し、この受光に応答して検出信号を制御部７０に供給する。このようにして、指針式計器本体２０Ｒが位置Ｄにあるときには、第２検出部４２４ｂｄが検出信号を供給し、指針式計器本体２０Ｒが位置Ｅにあるときには、第２検出部４２４ｂｅが検出信号を供給し、指針式計器本体２０Ｒが位置Ｆにあるときには、第２検出部４２４ｂｆが検出信号を供給する。第２検出部４２４ｂｄ、４２４ｂｅ、４２４ｂｆのいずれが検出信号を制御部７０に供給したかで、制御部７０は、スライド移動する指針式計器本体２０Ｅが位置ＤからＦのうちのいずれに位置したかを特定できる。
【００４０】
ガイドレール４３は、左右方向に延び、第１移動板４１１と第２移動板４２１とを、摩擦力の影響を極力抑えつつ左右方向に案内するレールであり、移動機構用筐体４４に取り付けられる。ガイドレール４３は、ステンレスにより形成することで、温度変化、振動が発生しても、スライド抵抗を抑えるようにするとよい。ガイドレール４３は、断面略コの字状に形成され、内部に第１移動板４１１の摺動部４１１ｆや第２移動板４２１の摺動部４２１ｆが入り込み、これらが摺動する。これによって、第１移動板４１１及び第２移動板４２１の移動方向が左右方向に案内される。
【００４１】
なお、本実施形態では、ガイドレール４３を、第１移動板４１１と第２移動板４２１とに共用のスライドレールとして説明したが、第１移動板４１１と第２移動板４２１とのそれぞれに独立したスライドレールを設けてもよい。
【００４２】
移動機構用筐体４４は、第１移動機構４１、第２移動機構４２の少なくとも一部を内部に収納する共用の筐体であり、例えば、樹脂材料やアルミ等の非磁性金属から形成される。
【００４３】
ディスプレイ装置５０は、例えば１２．３インチのＴＦＴ（Thin Film Transistor）液晶ディスプレイ装置であり、後述する制御部７０の制御のもと、指針式計器本体２０Ｒ及び指針式計器本体２０Ｌの位置に応じた画像を表示する。
【００４４】
例えば、指針式計器本体２０Ｌが位置Ａに位置し、指針式計器本体２０Ｒが位置Ｃに位置するときには、ディスプレイ装置５０は、位置Ａにある指針式計器本体２０Ｌの枠体２８Ｌに囲まれた領域に、指針ユニット２４Ｌに指示される指標部１３Ｌを表示し、位置Ｃにある指針式計器本体２０Ｒの枠体２８Ｒに囲まれた領域に、指針ユニット２４Ｒに指示される指標部１３Ｒを表示し、他の領域に、他の計器を表す計器画像１４、速度をデジタル表示する計器画像１５なども表示する（図８の上の図参照）。
【００４５】
例えば、指針式計器本体２０Ｌが位置Ｂに位置し、指針式計器本体２０Ｒが位置Ｆに位置するときには、ディスプレイ装置５０は、位置Ｂにある指針式計器本体２０Ｌの枠体２８Ｌに囲まれた領域に、指針ユニット２４Ｌに指示される指標部１３Ｌを表示し、位置Ｆにある指針式計器本体２０Ｒの枠体２８Ｒに囲まれた領域（枠体２８Ｒに囲まれた領域であって、ユーザが計器装置１００を見たときに視認可能な領域）に、所定のアイコンを選択するための画像１６Ｒを表示し、指針式計器本体２０Ｌと指針式計器本体２０Ｒとの間の領域に、現在選択されているアイコンの内容を表す画像１７（曲を選択するための画像）を表示し、他の領域に、速度をデジタル表示する計器画像１５を表示する（図８の下の図参照）。
【００４６】
なお、指標部１３Ｌは、例えば、指針ユニット２４Ｌに指示される目盛、目盛の数値を表記する数字などから構成され、指針ユニット２４Ｌとともに所定の計測値（例えば、車速）をユーザに報知する。指標部１３Ｒは、例えば、指針ユニット２４Ｒに指示される目盛、目盛の数値を表記する数字などから構成され、指針ユニット２４Ｒとともに所定の計測値（例えば、エンジンの回転数）をユーザに報知する。
【００４７】
本実施形態では、指針式計器本体２０Ｌと、指標部１３Ｌとによって、指針式計器１００Ｌが構成される。また、指針式計器本体２０Ｒと、指標部１３Ｒとによって、指針式計器１００Ｒが構成される。このため、枠体２８Ｌ及び２８Ｒは、それぞれが、指針式計器１００Ｌ及び１００Ｒそれぞれの枠を構成することが可能になっている。
【００４８】
また、本実施形態では、ディスプレイ装置５０は、残燃料を表す残燃料画像１９を指標部１３Ｌに含ませて表示させる（図８などを参照）。
【００４９】
ディスプレイ装置５０は、ＴＦＴ液晶パネル、偏光板、バックライト、ディスプレイ用筐体等（図示せず）から構成され、例えば、ケース体８０に形成された取付部材（図示せず）に取り付けられて支持される。なお、ディスプレイ装置５０は、第１マグネット体２２Ｌ、２２Ｒと、第２マグネット体２３Ｌ、２３Ｒとのそれぞれの間で発生する磁気に悪影響を与えないように、非磁性体のものによって構成する。
【００５０】
回路基板６０は、板状の基材と、この基材に設けられた制御部７０（図６参照）と、この基材に設けられた車両情報入力ポート７３（図６参照）と、この基材に設けられたセンサ情報入力ポート７５（図６参照）と、この基材に設けられた図示しない各種配線などと、を備え、移動機構４０の裏側に位置する。回路基板６０は、ケース体８０の内面に支持される。制御部７０、車両情報入力ポート７３、センサ情報入力ポート７５などの詳細については後述する。
【００５１】
ケース体８０は、上記各部（ディスプレイ装置５０、指針式計器２０、移動機構４０、回路基板６０）を収納する筐体であり、収納体８１と、透明カバー８２と、から構成される。収納体８１は、表側開口の箱状部材であり、その開口部に透明カバー８２が取り付けられる。開口部（透明カバー８２）を介して、計器装置１００Ｌ、１００Ｒや、枠体２８Ｌ、２８Ｒ、ディスプレイ装置５０の表示画面などが視認され、その周囲（視認されたくない部分）はケース体８０によって隠されることになる。開口部（透明カバー８２）を介して視認される領域は、指針式計器本体２０Ｌが位置Ｃにあるとき及び指針式計器本体２０Ｒが位置Ｆにあるときに、指針式計器本体２０Ｌ及び指針式計器本体２０Ｒが全て視認される領域でなくても良い（図８の下の図参照）。つまり、透明カバー８２を介して視認される領域は、ディスプレイ装置５０の表示領域の大部分を含み、例えば、図８に示す図が占める領域であればよく、その周囲の領域はケース体８０に目隠しされていればよい。
【００５２】
次に、図６を参照して、計器装置１００の電気的構成について説明する。制御部７０には、車両情報入力ポート８１、センサ情報入力ポート８２、ディスプレイ装置５０、指針駆動部２１Ｌ、指針駆動部２１Ｒ、光源２５Ｌ、光源２５Ｒ、第１駆動部４１２及び第２駆動部４２２が電気的に接続されている。  
【００５３】
制御部７０は、マイコン７１と、グラフィックディスプレイコントローラー（ＧＤＣ）７２と、指針駆動部２１Ｌ、指針駆動部２１Ｒ、光源２５Ｌ、光源２５Ｒ、第１駆動部４１２、第２駆動部４２２、ディスプレイ装置５０のバックライト等と各種配線などを介して接続され、これらを駆動する各種ドライバＩＣ（Integrated Circuit）（図示せず）と、を備える。  
【００５４】
マイコン７１は、ＣＰＵ（Central Processing Unit）、ＲＯＭ（Read Only Memory）、ＲＡＭ（Random Access Memory）、入出力インターフェイス等を備える。マイコン７１は、例えば、ＣＰＵがＲＯＭ内に予め記憶された、所定プログラムを読み出して実行し、その際ＲＯＭに記憶されているデータなどを用いて、制御部７０が行う所定の処理（特に、後述の表示処理など）を実行する。ＲＡＭは、ＣＰＵが処理を行うときのワーキングメモリとして機能する。特に、マイコン７１には、車両情報入力ポート８１及びセンサ情報入力ポート８２が電気的に接続されており、これらから入力された各種情報を受け付ける。また、マイコン７１には、上記各種ドライバやＧＤＣ７２が電気的に接続されており、前記で受け付けた各種情報などに基づいて、上記各種ドライバやＧＤＣ７２を介して、計器装置１００全体（ディスプレイ装置５０、指針駆動部２１Ｌ、指針駆動部２１Ｒ、光源２５Ｌ、光源２５Ｒ、第１駆動部４１２及び第２駆動部４２２）を制御する処理を行う。つまり、制御部７０は、計器装置１００全体を制御する処理を行う。
【００５５】
車両情報入力ポート８１は、ｉ）車両ＥＣＵ（Electronic Control Unit）から通信ラインにより伝送される各種状態情報、ｉｉ）ユーザが、ハンドル周辺の操作スイッチ、インパネ周辺の各種コントロールスイッチ、計器装置１００に配設された入力スイッチ等の操作部を操作した際の操作内容を示す操作信号、等の車両情報が入力されるポートである。  
【００５６】
センサ情報入力ポート８２は、第１検出部４１４ｂａ、４１４ｂｂ、４１４ｂｃ、第２検出部４２４ｂｄ、４２４ｂｅ、４２４ｂｆからの検出信号それぞれが入力されるポートである。第１検出部４１４ｂａ、４１４ｂｂ、４１４ｂｃ、第２検出部４２４ｂｄ、４２４ｂｅ、４２４ｂｆそれぞれからの検出信号の内容を互いに異ならせること、又は、第１検出部４１４ｂａ、４１４ｂｂ、４１４ｂｃ、第２検出部４２４ｂｄ、４２４ｂｅ、４２４ｂｆそれぞれからの検出信号それぞれが入力される複数のポートを用意することなどによって、第１検出部４１４ｂａ、４１４ｂｂ、４１４ｂｃ、第２検出部４２４ｂｄ、４２４ｂｅ、４２４ｂｆのうちのどれから検出信号が供給されたかは特定可能になっている。
【００５７】
制御部７０は、ディスプレイ装置５０を制御し、車両情報入力ポート８１から入力された各種状態情報に基づいて、また、指針式計器本体２０Ｌ及び指針式計器本体２０Ｒの位置に応じた所定の画像（例えば、図８に示すような画像など）をディスプレイ装置５０に表示する。制御部７０は、指標部１３Ｌを表示しているときには、車両情報入力ポート８１を介して、車速を表す状態情報を取得し、この車速に応じた回転角で指針駆動部２１Ｌの回転軸２１Ｌａを回転させる。回転軸２１Ｌａに伴って、第１マグネット体２２Ｌと第２マグネット体２３Ｌと指針ユニット２４Ｌとが回転し、指針ユニット２４Ｌは指標部１３Ｌを指示する。これによって、計測値（車速）が表示される（図８などを参照）。つまり、計測値がユーザに視認される。同様にして、制御部７０は、指標部１３Ｒを表示しているときには、エンジンの回転数を表す状態情報を取得し、取得したこの状態情報に基づいて指針ユニット２４Ｒを回転させ、指針ユニット２４Ｒに指標部１３Ｒを指示させる（図８を参照）。これによって、計測値（エンジンの回転数）が表示される。つまり、計測値がユーザに視認される。制御部７０（マイコン７１）は、このような処理に並行して、表示処理などを行う。
【００５８】
制御部７０が行う表示処理について説明する（図９参照）。この処理は、例えば、計器装置１００に電力が供給され、初期化処理（例えば、図８の上の図のように、指針式計器本体２０Ｌ及び指針式計器本体２０Ｒを位置Ａ及びＤにそれぞれ位置させ、指標部１３Ｌ及び指標部１３Ｒなどをディスプレイ装置５０に表示する処理など）が行われたあとに開始される。
【００５９】
まず、制御部７０は、指針式計器本体２０Ｌ及び指針式計器本体２０Ｒの位置を変更する指示があるか否かを判定する（ステップＳ１）。これは、例えば、制御部７０に、指針式計器本体２０Ｌ及び指針式計器本体２０Ｒの位置の変更を指示する変更操作を示す操作信号が前記操作部から車両情報入力ポート８１を介して供給されたか否かに基づいて判定する。変更操作は、例えば、計器装置１００に所定の情報を表示することを要求することによって、指針式計器本体２０Ｌ及び指針式計器本体２０Ｒの位置を変更させる操作である。例えば、図８の上の表示態様から、図８の下の表示態様へ、表示態様を変更させることを指示する前記操作部への操作（ユーザが画像１６Ｒや画像１７の表示を要求する操作）が変更操作に該当する。
【００６０】
制御部７０は、変更操作を示す操作信号が供給されていないなど、指針式計器本体２０Ｌ及び指針式計器本体２０Ｒの位置を変更する指示が無い場合（ステップＳ１；Ｎｏ）、再度ステップＳ１の処理を行う。このように、制御部７０は、変更操作があるまで、待機する。
【００６１】
制御部７０は、変更操作を示す操作信号が供給されたなど、指針式計器本体２０Ｌ及び指針式計器本体２０Ｒの位置を変更する指示がある場合（ステップＳ１；Ｙｅｓ）、指針式計器本体２０Ｌの現在位置から目標位置までの移動距離及び指針式計器本体２０Ｒの現在位置から目標位置までの移動距離を特定し（ステップＳ２）、特定した移動距離に基づいて、指針式計器本体２０Ｌ及び指針式計器本体２０Ｒそれぞれを移動させる速度を決定し（ステップＳ３）、決定した速度で指針式計器本体２０Ｌ及び指針式計器本体２０Ｒの移動を開始させる（ステップＳ４）。
【００６２】
目標位置は、変更操作の種類に応じて予め設定されているものとし、ステップＳ２において、制御部７０は、操作信号が示す変更操作に基づいて指針式計器本体２０Ｌ及び指針式計器本体２０Ｒそれぞれの目標位置を特定できるものとする。ユーザが画像１６Ｒや画像１７の表示を要求する操作を行った場合、その操作を示す操作信号の供給によって、制御部７０は、指針式計器本体２０Ｌの目標位置を位置Ｂとして特定し、指針式計器本体２０Ｒの目標位置を位置Fとして特定する。
【００６３】
さらに、ステップＳ２において、制御部７０は、第１検出部４１４ｂａ、４１４ｂｂ、４１４ｂｃ、第２検出部４２４ｂｄ、４２４ｂｅ、４２４ｂｆそれぞれを制御し、これらのいずれかから検出信号を受け取った場合、検出信号を供給する検出部がどれであるかに応じて、指針式計器本体２０Ｌ及び指針式計器本体２０Ｒの現在位置を特定するものとする。例えば、制御部７０は、第１検出部４１４ｂａから検出信号が供給されれば、位置Ａに指針式計器本体２０Ｌが位置すると特定する。例えば、制御部７０は、第２検出部４２４ｂｆから検出信号が供給されていれば、位置Ｆに指針式計器本体２０Ｒが位置すると特定する。制御部７０が検出信号を受け取れない場合、つまり、指針式計器本体２０Ｌが位置ＡからＣのいずれにも位置しない場合や指針式計器本体２０Ｒが位置ＤからＦのいずれにも位置しない場合については後述する。
【００６４】
最初のステップＳ２においては、指針式計器本体２０Ｌ及び指針式計器本体２０Ｒの現在位置は、それぞれ位置Ａ及びＤになる。このため、制御部７０には、第１検出部４１４ｂａから検出信号が供給され、第２検出部４２４ｂｄから検出信号が供給されるので、制御部７０は、指針式計器本体２０Ｌ及び指針式計器本体２０Ｒの現在位置は、それぞれ位置Ａ及びＤであると特定できる。
【００６５】
さらに、例えば、制御部７０は、ＲＯＭなどに、位置ＡからＣそれぞれの位置（ここでは、位置Ａを原点（「０」）とし、左方向を正とした値によって表されるものとする。）と、位置ＤからＦそれぞれの位置（ここでは、位置Ｄを原点（「０」）とし、右方向を正とした値によって表されるものとする。）と、を記憶しているものとし、ステップＳ２においては、制御部７０は、上記で特定した目標位置及び現在位置を表す値をＲＯＭなどから取得し、目標位置の値から現在位置の値を減じ、減じて得られた値を上記移動距離として特定する。例えば、制御部７０は、目標位置Ｂの値から現在位置Ａの値を減じた値を上記移動距離とし、目標位置Ｄの値から現在位置Ｆの値を減じた値を上記移動距離とする。なお、上記移動距離の正負は、指針式計器本体２０Ｌ及び指針式計器本体２０Ｒの移動方向を示す。ここでは、指針式計器本体２０Ｌの移動距離が正の値であれば指針式計器本体２０Ｌを左方向に移動距離の絶対値だけ移動させ、移動距離が負の値であれば指針式計器本体２０Ｌを右方向に移動距離の絶対値だけ移動させることよって、指針式計器本体２０Ｌを目標位置に移動させることが出来る。また、指針式計器本体２０Ｒの移動距離が正の値であれば指針式計器本体２０Ｒを右方向に移動距離の絶対値だけ移動させ、移動距離が負の値であれば指針式計器本体２０Ｒを左方向に移動距離の絶対値だけ移動させることよって、指針式計器本体２０Ｒを目標位置に移動させることが出来る。
【００６６】
制御部７０は、ステップＳ３において、指針式計器本体２０Ｌ及び指針式計器本体２０Ｒの両者が同時（例えば、見かけ上同時）に目標位置に到達できるように、指針式計器本体２０Ｌ及び指針式計器本体２０Ｒそれぞれの移動速度を特定する。指針式計器本体２０Ｌ及び指針式計器本体２０Ｒ両者の移動距離の絶対値が同じ値であれば、両者の移動距離は同じであるので、制御部７０は、予め設定された所定速度を、両者の移動速度として特定する。また、指針式計器本体２０Ｌ及び指針式計器本体２０Ｒのうちのいずれか一方のみが移動する場合（一方の移動距離が「０」である場合）、指針式計器本体２０Ｌ及び指針式計器本体２０Ｒが同時に移動しないので、制御部７０は、前記所定速度を、両者の移動速度として特定する。
【００６７】
指針式計器本体２０Ｌ及び指針式計器本体２０Ｒの両者の移動距離の絶対値が異なる場合、両者を同じ速度で移動させると、両者が目標位置へ到達するタイミングがずれてしまう。このため、ステップＳ３において、制御部７０は、指針式計器本体２０Ｌ及び指針式計器本体２０Ｒのうちのどちら一方の移動速度を前記所定速度から変更する。
【００６８】
具体的には、例えば、制御部７０は、前記所定速度を移動距離の絶対値が大きい方の移動速度Ｖ１として特定し、前記所定速度よりも低い速度を移動距離の絶対値が小さい方の移動速度Ｖ２として特定する。例えば、絶対値が大きい方の移動距離の絶対値をＬ１、絶対値が小さい方の移動距離の絶対値をＬ２とすると、制御部７０は、移動速度Ｖ１＝所定速度、移動速度Ｖ２＝（L２÷L１）×所定速度、という式から各移動速度Ｖ１，Ｖ２を算出することによって、指針式計器本体２０Ｌ及び指針式計器本体２０Ｒの各移動速度を特定する。例えば、指針式計器本体２０Ｌの移動距離の絶対値が指針式計器本体２０Ｒの移動距離の絶対値よりも大きい場合、指針式計器本体２０Ｌの移動速度を移動速度Ｖ１として算出し、指針式計器本体２０Ｒの移動速度を移動速度Ｖ２として算出する。
【００６９】
また、例えば、制御部７０は、前記所定速度よりも高い速度を移動距離の絶対値が大きい方の移動速度Ｖ１として特定し、前記所定速度を移動距離の絶対値が小さい方の移動速度Ｖ２として特定してもよい。例えば、絶対値が大きい方の移動距離の絶対値をＬ１、絶対値が小さい方の移動距離の絶対値をＬ２とすると、制御部７０は、移動速度Ｖ１＝（L１÷L２）×所定速度、移動速度Ｖ２＝所定速度、という式から各移動速度Ｖ１，Ｖ２を算出することによって、指針式計器本体２０Ｌ及び指針式計器本体２０Ｒの各移動速度を特定する。
【００７０】
制御部７０は、ステップＳ４において、第１駆動部４１２及び第２駆動部４２２を駆動して回転軸４１２ａ及び回転軸４２２ａを回転させることを開始することによって、第１移動機構４１及び第２移動機構４２を介して、指針式計器本体２０Ｌ（枠体２８Ｌ）及び指針式計器本体２０Ｒ（枠体２８Ｒ）を左右方向にスライド移動させることを同時に開始する。このとき、制御部７０は、指針式計器本体２０ＬがステップＳ３で特定した移動速度に対応する回転速度（対応関係は予め設定されているものとする。）で回転軸４１２ａを回転させることによって、指針式計器本体２０ＬをステップＳ３で特定した移動速度で移動させる。さらに、制御部７０は、指針式計器本体２０ＲがステップＳ３で特定した移動速度に対応する回転速度（対応関係は予め設定されているものとする。）で回転軸４２２ａを回転させることによって、指針式計器本体２０ＲをステップＳ３で特定した移動速度で移動させる。
【００７１】
制御部７０は、上記のようにして、指針式計器本体２０Ｌ（枠体２８Ｌ）及び／又は指針式計器本体２０Ｒ（枠体２８Ｒ）を移動させるときに、指針式計器本体２０Ｌ（枠体２８Ｌ）及び／又は指針式計器本体２０Ｒ（枠体２８Ｒ）の現在位置を特定可能に、指針式計器本体２０Ｌ（枠体２８Ｌ）及び／又は指針式計器本体２０Ｒ（枠体２８Ｒ）をスライド移動させる。スライド移動は、ステップＳ７又はステップＳ８の処理が行われるまで当該表示処理と並行して続行される。
【００７２】
例えば、制御部７０は、ＲＡＭなどに、回転軸４１２ａを回転させたときの回転軸４１２ａの回転角（ここでは、指針式計器本体２０Ｌが位置Ａにあるときの回転軸４１２ａの回転角を基準（「０度」）とした回転角とする。）を記憶する。例えば、制御部７０は、ＲＡＭなどに、回転軸４２２ａを回転させたときの回転軸４２２ａの回転角（ここでは、指針式計器本体２０Ｒが位置Ｄにあるときの回転軸４２２ａの回転角を基準（「０度」）とした回転角とする。）を記憶する。回転軸４１２ａの回転角及び回転軸４２２ａの回転角それぞれは、指針式計器本体２０Ｌ及び指針式計器本体２０Ｒそれぞれの移動距離に比例するので、それぞれの回転角から指針式計器本体２０Ｌ及び指針式計器本体２０Ｒそれぞれの現在位置は特定できる。
【００７３】
ステップＳ４のあと、制御部７０は、指針式計器本体２０Ｌ及び指針式計器本体２０Ｒの位置を変更する指示があるか否かを判定する（ステップＳ５）。ステップＳ５の処理は、ステップＳ１の処理と同様なので、詳細な説明は省略する。
【００７４】
制御部７０は、ステップＳ１と同様に、変更操作を示す操作信号が供給されているなど、指針式計器本体２０Ｌ及び指針式計器本体２０Ｒの位置を変更する指示がある場合（ステップＳ５；Ｎｏ）、指針式計器本体２０Ｌ及び指針式計器本体２０Ｒのうち、スライド移動させている最中のものの移動を停止させる（ステップＳ７）。つまり、制御部７０は、第１駆動部４１２及び第２駆動部４２２のうち、駆動しているものの駆動を停止する。制御部７０は、ステップＳ７の後、ステップＳ２の処理を再び行う。ここで、ステップＳ５で、指針式計器本体２０Ｌ及び指針式計器本体２０Ｒの位置を変更する指示があると判定された場合には、指針式計器本体２０Ｌ及び指針式計器本体２０Ｒのうちの少なくともいずれかは、スライド移動中である。このため、指針式計器本体２０Ｌ及び指針式計器本体２０Ｒのうちの少なくともいずれかは、位置ＡからＦのいずれかで停止しないことになる。しかし、上記のように、制御部７０は、指針式計器本体２０Ｌ（枠体２８Ｌ）及び／又は指針式計器本体２０Ｒ（枠体２８Ｒ）の現在位置を特定可能に、指針式計器本体２０Ｌ（枠体２８Ｌ）及び／又は指針式計器本体２０Ｒ（枠体２８Ｒ）をスライド移動させるので、指針式計器本体２０Ｌ及び指針式計器本体２０Ｒの停止位置は、位置ＡからＦのいずれかでなくても特定できる。
【００７５】
例えば、制御部７０は、回転角と指針式計器本体２０Ｌの位置（ここでは、位置Ａを原点（「０」）とし、左方向を正とした値によって表されるものとする。）との対応関係を表す第１のテーブルをＲＯＭなどに予め記憶しているものとする。制御部７０は、ＲＡＭなどに記憶する回転軸４１２ａの回転角に基づいて、第１のテーブルを参照し、指針式計器本体２０Ｌの位置を特定することが出来る。制御部７０は、回転角と指針式計器本体２０Ｒの位置（ここでは、位置Ｄを原点（「０」）とし、右方向を正とした値によって表されるものとする。）との対応関係を表す第２のテーブルをＲＯＭなどに予め記憶しているものとする。制御部７０は、ＲＡＭなどに記憶する回転軸４１２ａの回転角に基づいて、第２のテーブルを参照し、指針式計器本体２０Ｒの位置を特定することが出来る。制御部７０は、ステップＳ２において、指針式計器本体２０Ｌ及び指針式計器本体２０Ｒの少なくともいずれかが位置ＡからＦのいずれにも位置していない場合（つまり、各位置の間に位置する場合であり、制御部７０が上記検出信号を受け取れない場合）、このような方法によって、位置ＡからＦのいずれにも位置していない指針式計器本体２０Ｌ及び指針式計器本体２０Ｒの現在位置（停止位置）を特定できる。
【００７６】
制御部７０は、ステップＳ１と同様に、変更操作を示す操作信号が供給されていないなど、指針式計器本体２０Ｌ及び指針式計器本体２０Ｒの位置を変更する指示がない場合（ステップＳ５；Ｎｏ）、制御部７０は、目標位置に応じた検出部（指針式計器本体２０Ｌ又は指針式計器本体２０Ｒが目標位置に位置したときに検出信号を供給する検出部）から検出信号が供給されたかを判定する（ステップＳ６）。第１検出部４１４ｂａ、４１４ｂｂ、４１４ｂｃのうちの目標位置に対応する第１検出部から検出信号が供給された場合、指針式計器本体２０Ｌは目標位置に達したことになる。第２検出部４２４ｂｄ、４２４ｂｅ、４２４ｂｆのうちの目標位置に対応する第２検出部から検出信号が供給された場合、指針式計器本体２０Ｒは目標位置に達したことになる。例えば、図８の上の表示態様から、図８の下の表示態様へ、計器装置１００の表示態様を変更させる場合、第１検出部４１４ｂｂ及び４２４ｂｆがそれぞれ目標位置Ａ及びＦに応じた検出部になる。
【００７７】
制御部７０は、検出信号の供給がある場合（ステップＳ６；Ｙｅｓ）、検出信号を供給する検出部に対応する目標位置に向けてスライド移動させている指針式計器本体２０Ｌ又は指針式計器本体２０Ｒのスライド移動を、第１駆動部４１２及び第２駆動部４２２の駆動を停止することで停止させる（ステップＳ８）。なお、指針式計器本体２０Ｌ及び指針式計器本体２０Ｒそれぞれの目標位置に対応する検出部それぞれから検出信号が供給された場合、制御部７０は、指針式計器本体２０Ｌ及び指針式計器本体２０Ｒのスライド移動を同時に中止する。例えば、図８の上の表示態様から、図８の下の表示態様へ、計器装置１００の表示態様を変更させる場合、第１検出部４１４ｂｂから検出信号が供給されたときには、指針式計器本体２０Ｌが位置Ｂに位置したことになるので、制御部７０は、第１駆動部４１２の駆動を停止し、指針式計器本体２０Ｌのスライド移動を停止する。第１検出部４１４ｂｆから検出信号が供給されたときには、指針式計器本体２０Ｒが位置Ｆに位置したことになるので、制御部７０は、第２駆動部４２２の駆動を停止し、指針式計器本体２０Ｒのスライド移動を停止する。
【００７８】
制御部７０は、ステップＳ８のあと、第１駆動部４１２及び第２駆動部４２２の駆動を停止したか、つまり、指針式計器本体２０Ｌ及び指針式計器本体２０Ｒ両者のスライド移動を停止したかを判定し（ステップＳ９）、両者のスライド移動を停止している場合（ステップＳ９；Ｙｅｓ）、両者が目標位置に位置したことになるので、両者の位置に応じた所定画像をディスプレイ装置５０に表示し（ステップＳ１０）、これによって計器装置１００の表示態様の変更が完了したので、ステップＳ１からの処理を再度行う。例えば、指針式計器本体２０Ｌが位置Ｂに位置し、指針式計器本体２０Ｒが位置Ｆに位置した場合には、制御部７０は、ディスプレイ装置５０に図８の下の図の画像を表示する。なお、指針式計器本体２０Ｌ又は指針式計器本体２０Ｒの移動中には、制御部７０は、ディスプレイ装置５０に画像を表示しなくてもよいし、指針式計器本体２０Ｌ又は指針式計器本体２０Ｒの移動用の画像を指針式計器本体２０Ｌ又は指針式計器本体２０Ｒの移動に合わせて表示してもよい。例えば、指標部１３Ｒ、１３Ｌを指針式計器本体２０Ｌ又は指針式計器本体２０Ｒの移動（上記で特定した移動速度）に合わせて移動させるようにしてもよい。
【００７９】
検出信号の供給がない場合（ステップＳ６；Ｎｏ）、両者のスライド移動を停止していない場合（ステップＳ９；Ｎｏ）、制御部７０は、ステップＳ５の処理を再び行う。これによって、制御部７０は、目標位置の変更があるまで（ステップＳ６；Ｙｅｓ）、又は、指針式計器本体２０Ｌ及び指針式計器本体２０Ｒ両者の移動が完了するまで（ステップＳ９；Ｙｅｓ）、待機する。
【００８０】
上記一連の処理によって、例えば、ユーザが画像１６Ｒや画像１７の表示を要求する操作を行った場合、図８の上の表示態様から、図８の下の表示態様へ、計器装置１００の表示態様を変更させることができる。つまり、指針式計器本体２０Ｌの枠体２７Ｌと指針式計器本体２０Ｒの枠体２７Ｒとを位置Ａ及びＣそれぞれから同時にそれぞれの目標位置Ｂ及びＦそれぞれに移動させる場合に、両者が同時に移動完了するように、枠体２７Ｌと枠体２７Ｒとのうちの移動距離が長い方（枠体２７Ｒ）を短い方（枠体２７Ｌ）よりも速い速度で移動させる。
【００８１】
本実施形態にかかる計器装置１００は、上記構成によって、第１の指針式計器（ここでは、指針式計器１００Ｌ）及び第２の指針式計器（ここでは、指針式計器１００Ｒ）を表すことが可能な計器装置となる。そして、計器装置１００は、第１の指針式計器の枠を構成可能な第１の枠体（ここでは、枠体２８Ｌ）と、第２の指針式計器の枠を構成可能な第２の枠体（ここでは、枠体２８Ｒ）と、第１の枠体と第２の枠体との背後に位置し、第１の枠体の位置と第２の枠体の位置とに応じた画像を表示する表示部（ここでは、ディスプレイ装置５０）と、第１の枠体を移動させる第１の移動機構（ここでは、第１移動機構４１）と、第２の枠体を移動させる第２の移動機構（ここでは、第２移動機構４２）と、第１の移動機構及び第２の移動機構を介して第１の枠体及び第２の枠体を移動させる制御部（ここでは、制御部７０）と、を備え、制御部は、第１の枠体と第２の枠体とを同時に移動させる場合に、第１の枠体の移動と第２の枠体の移動とが同時に終了するように、第１の枠体と第２の枠体とのうちの移動距離が長い方を短い方よりも速い速度で移動させる。このような構成によって、２つの枠体が異なる距離を移動する場合であっても、両者の移動完了のタイミングのズレが生じることを防止でき、利用者に与える違和感を無くすことができる。
【００８２】
また、上記構成によって、制御部は、第１の枠体と第２の枠体とが移動している最中に前記第１の枠体と第２の枠体とが移動させることを中止させ、新たな２つの目標位置それぞれに第１の枠体と第２の枠体とを移動させる場合に、第１の枠体の現在位置と第１の枠体の目標位置との移動距離及び第２の枠体の現在位置と第２の枠体の目標位置との移動距離を特定し、第１の枠体の移動と第２の枠体の移動とが同時に終了するように、第１の枠体と第２の枠体とのうち、特定した移動距離が長い方を短い方よりも速い速度で移動させる。このような構成によって、２つの枠体が移動中であっても、両者の移動完了のタイミングのズレが生じることを防止でき、利用者に与える違和感を無くすことができる。
【００８３】
なお、本発明は上記の実施形態、下記の変形例、及び図面によって限定されるものではない。適宜変更（構成要素の削除も含む）を加えることができるのはもちろんである。  
【００８４】
例えば、ステップＳ３において、指針式計器本体２０Ｌ及び指針式計器本体２０Ｒ両者の目標位置への到達時間の時間差が短くなるように、指針式計器本体２０Ｌ及び指針式計器本体２０Ｒそれぞれの移動速度を特定してもよい。具体的には、移動距離（絶対値）が大きい方の指針式計器本体の移動速度を移動距離（絶対値）が小さい方の指針式計器本体の移動速度よりも速くするようにしてもよい（例えば、両移動速度は予め設定されているものとする。）。すなわち、制御部は、第１の枠体と第２の枠体とを同時に移動させる場合に、第１の枠体と第２の枠体とのうちの移動距離が長い方を短い方よりも速い速度で移動させることによって、２つの枠体が異なる距離を移動する場合であっても、両者の移動完了のタイミングのズレが生じることを防止するかズレを小さくすることができ、利用者に与える違和感を無くすか少なくすることができる。
【００８５】
また、制御部は、第１の枠体と第２の枠体とが移動している最中に前記第１の枠体と第２の枠体とが移動させることを中止させ、新たな２つの目標位置それぞれに第１の枠体と第２の枠体とを移動させる場合に、第１の枠体の現在位置と第１の枠体の目標位置との移動距離及び第２の枠体の現在位置と第２の枠体の目標位置との移動距離を特定し、第１の枠体と第２の枠体とのうち、特定した移動距離が長い方を短い方よりも速い速度で移動させればよい（例えば、両移動速度は予め設定されているものとする。）。このような構成によって、２つの枠体が移動中であっても、両者の移動完了のタイミングのズレが生じることを防止するかズレを小さくすることができ、利用者に与える違和感を無くすか少なくすることができる。
【００８６】
なお、回転軸４１２ａの回転角及び回転軸４２２ａの回転角は、上記のように、制御部７０がカウントするのではなく、制御部７０は、両回転軸近傍に設けられた回転角センサなどによって検出してもよい。
【００８７】
また、指針式計器本体２０Ｌが位置Ａから位置Ｃのいずれかに位置するか否かは、上記のように、指針式計器本体２０Ｌの移動中の現在位置を回転軸４１２ａの回転角などに基づいて特定し、特定した現在位置と位置Ａから位置Ｃのいずれか（目標位置）を比較することなどによって判定してもよい。また、指針式計器本体２０Ｒが位置Ｄから位置Ｆのいずれかに位置するか否かは、上記のように、指針式計器本体２０Ｒの移動中の現在位置を回転軸４２２ａの回転角などに基づいて特定し、特定した現在位置と位置Ｄから位置Ｆのいずれか（目標位置）を比較することなどによって判定してもよい。
【００８８】
また、第１検出部４１４ｂａ、４１４ｂｂ、４１４ｂｃ側を検出ターゲットとし、第１検出ターゲット４１４ａ側を検出部としてもよい。この場合、制御部７０は、回転軸４１２ａの回転角などに基づいて、指針式計器本体２０Ｌの現在位置が位置Ａから位置Ｂの間であるか、又は、位置Ｂから位置Ｃの間であるかを特定し、その後、検出部から検出信号を受け取ったことに基づいて、指針式計器本体２０Ｌの位置を特定してもよい。例えば、回転軸４１２ａの回転角などに基づいて、指針式計器本体２０Ｌの位置が位置Ａから位置Ｂの間に判定された状態で、指針式計器本体２０Ｌを左にスライドさせた後、センサ情報入力ポート８２に検出信号が入力された場合に、制御部７０は、指針式計器本体２０Ｌが位置Ｂに位置したものと判定すればよい。このようにすれば、センサ情報入力ポート８２の数を削減することができる。同様に、第２検出部４２４ｂｄ、４２４ｂｅ、４２４ｂｃｆ側を検出ターゲットとし、第２検出ターゲット４２４ａ側を検出部としてもよい。
【００８９】
制御部７０は、複数のマイコンなどを含むものであってもよい。
【００９０】
指針式計器本体２０Ｌの現在位置、及び／又は、指針式計器本体２０Ｒの現在位置は、各種センサによって逐次制御部７０が検出できるようにしてもよい。
【００９１】
例えば、第１移動機構４１や第１伝達機構４１３と第２移動機構４２や第２伝達機構４２３とは、左右方向に一列に並べても良い。
【００９２】
また、上記の計器画像は、指針式計器１００Ｌなどの一部（枠以外の部分の少なくとも一部）を表すものであればよく、指標部１３Ｌなどの他、指針を含むものであってもよい。この場合、指針式計器本体２０Ｌなどでは、指針ユニット２４Ｌなどの指針に係る部分が不要になり、透明部材２７Ｌも適宜省略できる。
【００９３】
また、指針式計器本体２０Ｌなどの移動方向は、上下方向、斜め方向等であってもよい。移動方向は、計器装置１００の形状等を勘案して、適宜変更することができる。
【００９４】
また、移動させる枠体の数は、三つ以上あってもよい。この場合であって、それぞれの枠体の移動速度を調整するとよい。
【００９５】
また、上記第１の枠体と第２の枠体とは、計器画像を囲むものなど、ディスプレイ装置５０に表示される画像を仕切る枠状のものであればよく、円環形状の他、楕円環状形状、矩形環状形状、多角形の環状形状になることで、計器画像を囲んでもよい。上記第１の枠体と第２の枠体とは、不連続のものであってもよい。上記第１の枠体と第２の枠体とは、両者によって１つの指針式計器の枠の少なくとも一部分を構成可能なものであってもよい。この場合、第１の枠体と第２の枠体とは、第１の態様では、両者で１つの指針式計器の枠の少なくとも一部分を構成し、第２の態様では、第１の枠体と第２の枠体とに分割されて、例えば、両者は互いに異なる方向に移動する。
【００９６】
また、上記実施形態では、指針駆動部２１Ｌに取り付けられた第１マグネット体２２Ｌの磁力より、第２マグネット体２３Ｌを回転させる例を示したが、これに限られない。  
第２マグネット体２３Ｌに一対のコイルを巻き回して、これら一対のコイルへ通電により、第２マグネット体２３Ｌを回転させる（つまり、指針ユニット２４Ｌを回転させる）ようにしてもよい。前記一対のコイルは、例えば、適宜の配線によって制御部７０と接続される。この場合、指針駆動部２１Ｌ、第１マグネット体２２Ｌ、基材Ｓは不要である。
【００９７】
制御部７０は、例えば、指針式計器本体２０Ｌや指針式計器本体２０Ｒの現在位置をバックアップしておき、電源が遮断され、再投入されたときには、指針式計器本体２０Ｌや指針式計器本体２０Ｒをバックアップされた現在位置に復帰させてから、上記表示処理を開始してもよい。
【００９８】
上記実施形態では、計器装置が車両に搭載される車両用計器である例を示したが、車両は、自動二輪車、自動車の他、耕作機械、電車等であってもよいし、計器装置は、車両以外の船舶などの乗り物に搭載されるものであってもよい。
【符号の説明】
【００９９】
１００    計器装置  
１００Ｌ  指針式計器装置
１００Ｒ  指針式計器装置
２０Ｌ、２０Ｒ    指針式計器本体
２１Ｌ、２１Ｒ    指針駆動部  
２４Ｌ、２４Ｒ    指針ユニット  
２８Ｌ、２８Ｒ    枠体
４０    移動機構  
４１    第１移動機構  
４１４  第１検出ユニット  
４２    第２移動機構  
４２４  第２検出ユニット  
４３    ガイドレール  
５０    ディスプレイ装置
７０    制御部
【図２】
2013156219.tif 000003
【図３】
2013156219.tif 000004
【図４】
2013156219.tif 000005
【図５】
2013156219.tif 000006
【図６】
2013156219.tif 000007
【図７】
2013156219.tif 000008
【図９】
2013156219.tif 000009
【図１】
2013156219.tif 000010
【図８】
2013156219.tif 000011